【事件の表示】
　特願２０１８−５００９０９「シングルインターレースモードおよびマルチインターレースモードをサポートする時分割複信（ＴＤＤ）サブフレーム構造」拒絶査定不服審判事件〔平成２９年　１月２６日国際公開，ＷＯ２０１７／０１４９１２，平成３０年　８月１６日国内公表，特表２０１８−５２３４０５〕について，次のとおり審決する。
【結　論】
　本件審判の請求は，成り立たない。
【理　由】
第１　手続の経緯
　本願は，２０１６年（平成２８年）６月２４日（パリ条約による優先権主張　外国庁受理　２０１５年７月２０日　米国，２０１６年２月２４日　米国）を国際出願日とする出願であって，その手続の経緯は以下のとおりである。
平成３０年　９月　７日　　　手続補正書の提出
平成３０年　９月２７日付け　拒絶理由通知書
平成３０年１２月２６日　　　意見書，及び手続補正書の提出
平成３１年　１月　９日付け　拒絶査定
令和　元年　５月１０日　　　拒絶査定不服審判の請求，
　　　　　　　　　　　　　　　及び手続補正書の提出
令和　元年１０月　１日　　　上申書の提出
第２　本願発明
　本願の請求項に係る発明は，令和元年５月１０日に手続補正された特許請求の範囲の請求項１ないし４８に記載された事項により特定されるものであるところ，その請求項１に係る発明（以下，「本願発明」という。令和元年５月１０日の手続補正では請求項１は補正されていない。）は，以下のとおりのものと認める。
「　スケジューリングエンティティが時分割複信(TDD)キャリアを利用して1つまたは複数の下位エンティティのセットと通信するための，ワイヤレス通信ネットワーク内のワイヤレス通信の方法であって，前記TDDキャリアが，各々がTDDサブフレーム構造を有する複数のサブフレームを含み，前記方法が，
　制御情報，データ情報，および前記データ情報に対応する確認応答情報が単一のサブフレーム内に含まれるシングルインターレース動作モードを提供するステップと，
　前記制御情報，前記データ情報，または前記データ情報に対応する前記確認応答情報のうちの少なくとも1つが，前記制御情報，前記データ情報，および前記データ情報に対応する前記確認応答情報のうちの他のものとは異なるサブフレーム内に含まれる，マルチインターレース動作モードを提供するステップと，
　第1のサブフレームに関して1つまたは複数の下位エンティティの前記セット内の各下位エンティティに関するそれぞれのスケジューリングモードを決定するステップであって，前記それぞれのスケジューリングモードが，前記シングルインターレース動作モードまたは前記マルチインターレース動作モードを含む，決定するステップと，
　前記シングルインターレース動作モードと前記マルチインターレース動作モードの両方を含むように下位エンティティの前記セットの各下位エンティティの前記それぞれのスケジューリングモードを前記第1のサブフレームの前記TDDサブフレーム構造内で多重化することによって，前記スケジューリングエンティティと1つまたは複数の下位エンティティの前記セットとの間の送信をスケジュールするステップと
を含む，方法。」
第３　原査定の拒絶の理由
　原査定の拒絶の理由は，「（拡大先願）この出願の下記の請求項に係る発明は，その出願の日前の日本語特許出願であって，その出願後に国際公開がされた下記の日本語特許出願の国際出願日における国際出願の明細書，請求の範囲又は図面に記載された発明と同一であり，しかも，この出願の発明者がその出願前の日本語特許出願に係る上記の発明をした者と同一ではなく，またこの出願の時において，その出願人が上記日本語特許出願の出願人と同一でもないので，特許法第２９条の２の規定により，特許を受けることができない（同法第１８４条の１３参照）。」というものであり，本願の請求項１に係る発明に対して，以下の先願が引用されている。
先願：ＰＣＴ／ＪＰ２０１６／０６１５５３号（国際出願日　２０１６年（平成２８年）４月８日，国内優先権主張　２０１５年（平成２７年）４月２８日，出願人　株式会社ＮＴＴドコモ，国際公開第２０１６／１７５０１５号，再公表特許第２０１６／１７５０１５号公報）
第４　先願発明
　原査定の拒絶の理由で引用されたＰＣＴ／ＪＰ２０１６／０６１５５３号（以下，「先願」という。）の国際出願日における国際出願の明細書，請求の範囲又は図面（以下，「先願明細書等」という。）には，以下の事項が記載されている。（下線は当審が付与。）
　当該事項は，本願の優先日以前の２０１５年４月２８日に出願された先願の国内優先権の基礎出願にも記載されている。
　ここで，先願に係る発明をした者と本願の発明者とは同一ではなく，また本願の出願時において，本願の出願人と先願の出願人とは同一ではない。
「
［００１５］　＜概要＞
　図１は，実施の形態に係る無線通信システムの構成を示す図である。図１に示すように，
本実施の形態における無線通信システムは，複数のユーザ装置ＵＥと基地局ｅＮＢとを含む無線通信システムである。
（中略）
［００２０］　
本実施の形態に係る無線通信システムでは，同一サブフレーム内に，下りリンクのパイロット信号がマッピングされるパイロット信号領域と，下りリンクの制御信号がマッピングされる制御信号領域と，下りリンクのユーザデータがマッピングされるユーザデータ領域と，任意の上りリンクの信号又は任意の下りリンクの信号がマッピングされる多用途領域（以下，単に「多用途領域」という）とを含み，制御信号を用いて多用途領域にマッピングされる信号の内容を指示することができる無線フレーム構成が用いられる。
（中略）
［００７３］　（多用途領域について）
　図８は，多用途領域の構成の一例を説明するための図である。図８に示すように，多用途領域には，上りリンク信号を含む様々な用途の信号を割当てることができる。
なお，多用途領域にどの用途の信号を割当てるのかについては，基地局ｅＮＢの無線フレーム制御部１０３により決定され，制御信号に含まれる用途情報を用いてユーザ装置ＵＥに通知される。
（中略）
［００７９］　図８（ｃ）は，
多用途領域にＨＡＲＱにおけるＡＣＫ／ＮＡＣＫが割り当てられる
（中略）
［００８１］　図８（ｃ）の場合，
ユーザ装置ＵＥのＨＡＲＱ処理部２０５及び信号送信部２０２は，ＡＣＫ／ＮＡＣＫを，用途情報で指示された多用途領域のリソースを用いて基地局ｅＮＢに送信することになる。
（中略）
［００８９］　図１０は，ＡＣＫ／ＮＡＣＫのマッピング方法（周波数方向）の一例を説明するための図である。なお，図１０において，各区間は１つのサブフレーム（１ＴＴＩ）に相当する。また，各区間に振られている番号（１−１，１−２，２−２，１，２）は，図１０の説明において，各サブフレームを区別するために便宜上用いられる番号である。また，ユーザ装置ＵＥ１とユーザ装置ＵＥ２とは，それぞれ異なるユーザ装置ＵＥを示している。
［００９０］　図１０（ａ）は，基地局ｅＮＢの無線フレーム制御部１０３が，
ユーザ装置ＵＥ１に対して，所定のサブフレーム（図１０（ａ）ではサブフレーム１−１）で送信されるユーザデータに対するＡＣＫ／ＮＡＣＫを，１ＴＴＩ後のサブフレーム（図１０（ａ）ではサブフレーム１−２）及び当該サブフレームの所定のサブキャリア（図１０（ａ）ではサブキャリアａ）で送信するように用途情報で指示
ユーザ装置ＵＥ２に対して，所定のサブフレーム（図１０（ａ）ではサブフレーム２−２）で送信されるユーザデータに対するＡＣＫ／ＮＡＣＫを，同一サブフレーム及び当該サブフレームの所定のサブキャリア（図１０（ａ）ではサブキャリアｂ）で送信するように用途情報で指示
［００９１］　図１０（ａ）の例では，
上りリンク信号において，ユーザ装置ＵＥ１及びユーザ装置ＵＥ２が送信するＡＣＫ／ＮＡＣＫが周波数方向で多重（直交化）されることになる。なお，図１０（ａ）の例では，サブキャリアを分けることで，ユーザ装置ＵＥ１及びユーザ装置ＵＥ２が送信するＡＣＫ／ＮＡＣＫを多重させるようにしたが，異なる拡散符号を用いて，同一サブキャリアで多重させるようにしてもよい。
（中略）
［図６］
（中略）
［図１０］
」
　上記記載及び当業者の技術常識を考慮すると，先願明細書等には，次の技術事項が記載されている。
ア　上記段落００１５の記載によると，無線通信システムは，複数のユーザ装置ＵＥと基地局ｅＮＢとを含むものであるから，基地局ｅＮＢは複数のユーザ装置ＵＥと無線通信するものであることが明らかである。そして，上記段落００２０の記載によると，無線通信システムでは，同一サブフレーム内に，下りリンクのパイロット信号がマッピングされるパイロット信号領域と，下りリンクの制御信号がマッピングされる制御信号領域と，下りリンクのユーザデータがマッピングされるユーザデータ領域と，任意の上りリンクの信号又は任意の下りリンクの信号がマッピングされる多用途領域とを含む，無線フレーム構成を用いるものであるから，基地局ｅＮＢは複数のユーザ装置との無線通信のために，当該無線フレーム構成を用いることは明らかである。
　また，上記図６によると，パイロット信号領域と，制御信号領域と，ユーザデータ領域と，多用途領域とは，ＴＴＩ内において時間軸方向に分割された領域であることが見てとれ，上記段落００２０の記載に照らせば，当該ＴＴＩが，サブフレームに対応することは明らかである。
　したがって，先願明細書等には，「基地局ｅＮＢが複数のユーザ装置ＵＥと通信するための無線通信方法において，同一サブフレーム内の時間軸方向に分割された領域である，下りリンクのパイロット信号がマッピングされるパイロット信号領域と，下りリンクの制御信号がマッピングされる制御信号領域と，下りリンクのユーザデータがマッピングされるユーザデータ領域と，任意の上りリンクの信号又は任意の下りリンクの信号がマッピングされる多用途領域とを含む，無線フレーム構成を用いる」ことが記載されているといえる。
イ　上記段落００７３，００７９，００８１の記載によると，多用途領域には、ユーザ装置ＵＥから送信される信号であるＡＣＫ／ＮＡＣＫが，割り当てられるといえる。
　そして，上記段落００９０−００９１，図１０（ａ）の記載によると，基地局ｅＮＢは，ユーザ装置ＵＥ１に対して，所定のサブフレーム１−１で送信されるユーザデータに対するＡＣＫ／ＮＡＣＫを，後のサブフレーム１−２内で送信するように指示し，更に，ユーザ装置ＵＥ２に対して，所定のサブフレーム２−２で送信されるユーザデータに対するＡＣＫ／ＮＡＣＫを，前記所定のサブフレーム２−２内で送信するように指示するものであるといえる。
　ここで，上記段落００９１によると，ユーザ装置ＵＥ１が送信するサブフレーム１−２のＡＣＫ／ＮＡＣＫと，ユーザ装置ＵＥ２が送信するサブフレーム２−２のＡＣＫ／ＮＡＣＫとは多重化されるものであるといえるから，ユーザ装置ＵＥ２に対する所定のサブフレーム２−２は，ユーザ装置ＵＥ１に対する後のサブフレーム１−２と，同一のサブフレームであることは明らかである。
　したがって，先願明細書等には，「基地局ｅＮＢは，ユーザ装置ＵＥ１に対して，所定のサブフレームで送信されるユーザデータに対するＡＣＫ／ＮＡＣＫを，後のサブフレーム内の多用途領域で送信するように指示し，更に，ユーザ装置ＵＥ２に対して，前記後のサブフレームで送信されるユーザデータに対するＡＣＫ／ＮＡＣＫを，前記後のサブフレームの多用途領域で送信するよう指示し，前記後のサブフレーム内のユーザ装置ＵＥ１及びユーザ装置ＵＥ２が送信するＡＣＫ／ＮＡＣＫは多重化される」ことが記載されているといえる。
　したがって，先願明細書等には以下の発明（以下，「先願発明」という。）が記載されているものと認められる。
「基地局ｅＮＢが複数のユーザ装置ＵＥと無線通信するための無線通信方法において，
同一サブフレーム内の時間軸方向に分割された領域である，下りリンクのパイロット信号がマッピングされるパイロット信号領域と，下りリンクの制御信号がマッピングされる制御信号領域と，下りリンクのユーザデータがマッピングされるユーザデータ領域と，任意の上りリンクの信号又は任意の下りリンクの信号がマッピングされる多用途領域とを含む，無線フレーム構成を用い，
　基地局ｅＮＢは，ユーザ装置ＵＥ１に対して，所定のサブフレームで送信されるユーザデータに対するＡＣＫ／ＮＡＣＫを，前記後のサブフレーム内の多用途領域で送信するように指示し，更に，ユーザ装置ＵＥ２に対して，後のサブフレームで送信されるユーザデータに対するＡＣＫ／ＮＡＣＫを，後のサブフレームの多用途領域で送信するよう指示し，前記後のサブフレーム内のユーザ装置ＵＥ１及びユーザ装置ＵＥ２が送信するＡＣＫ／ＮＡＣＫは多重化される方法。」
第６　先願発明との対比
　本願発明と先願発明とを対比する。
（１）先願発明の「基地局ｅＮＢ」は，ユーザ装置ＵＥのためにスケジューリングを行うものであるから，本願発明の「スケジューリングエンティティ」に相当し，本願発明の「下位エンティティ」は，基地局に対してスケジューリングされる側を含むことは明らかであるから，先願発明の「ユーザ装置ＵＥ」は，本願発明の「下位エンティティ」に相当する。 
　また，先願発明の「制御信号」「ユーザデータ」「ユーザデータに対するＡＣＫ／ＮＡＣＫ」は，それぞれ本願発明の「制御情報」「データ情報」「データ情報に対応する確認応答情報」に相当し，先願発明の「無線通信」と本願発明の「ワイヤレス通信」とは，表記が異なるのみであって差異は無い。
　そして，先願発明の「ユーザ装置ＵＥ２に対して，後のサブフレームで送信されるユーザデータに対するＡＣＫ／ＮＡＣＫを，後のサブフレームの多用途領域で送信するよう指示」することは，基地局ｅＮＢとユーザ装置ＵＥ２の間の通信とにおいて，「制御信号」と「ユーザデータ」と前記ユーザデータに対する「ＡＣＫ／ＮＡＣＫ」とを含む単一のサブフレームを用いるものといえるから，本願発明の「シングルインターレース動作モード」に対応する。
　したがって，先願発明の「ユーザ装置ＵＥ２に対して，後のサブフレームで送信されるユーザデータに対するＡＣＫ／ＮＡＣＫを，後のサブフレームの多用途領域で送信するよう指示」することは，本願発明の「制御情報，データ情報，および前記データ情報に対応する確認応答情報が単一のサブフレーム内に含まれるシングルインターレース動作モードを提供するステップ」に相当する。
（２）先願発明の「所定のサブフレームで送信されるユーザデータに対するＡＣＫ／ＮＡＣＫを，後ろのサブフレーム内の多用途領域で送信するように指示」することは，基地局ｅＮＢとユーザ装置ＵＥ１との間の通信とにおいて，異なるサブフレームのユーザデータに対するＡＣＫ／ＮＡＣＫを含む「後のサブフレーム」を用いるものといえるから，本願発明の「マルチインターレース動作モード」に対応する。
　したがって，本願発明の「前記制御情報，前記データ情報，または前記データ情報に対応する前記確認応答情報のうちの少なくとも1つが，前記制御情報，前記データ情報，および前記データ情報に対応する前記確認応答情報のうちの他のものとは異なるサブフレーム内に含まれる，マルチインターレース動作モードを提供するステップ」と，先願発明の「所定のサブフレームで送信されるユーザデータに対するＡＣＫ／ＮＡＣＫを，後ろのサブフレーム内の多用途領域で送信するように指示」することは，「確認応答情報が，データ情報とは異なるサブフレーム内に含まれる，マルチインターレース動作モードを提供するステップ」の点で共通する。
（３）時分割複信（ＴＤＤ）は，同一のキャリアで，下りリンクの通信と上りリンクの通信とを時間毎に切り替えて通信を行うことが，当業者の技術常識であるところ，先願発明の「後のサブフレーム」は，下りリンクの「制御信号」，及び，「ユーザデータ」と，上りリンクの「ＡＣＫ／ＮＡＣＫ」とを切り替えて通信するものであるから，「TDDサブフレーム構造」を有するサブフレームであるといえる。
　したがって，先願発明の「基地局が複数のユーザ装置と無線通信するための無線通信方法」は，本願発明の「スケジューリングエンティティが時分割複信(TDD)キャリアを利用して1つまたは複数の下位エンティティのセットと通信するための，ワイヤレス通信ネットワーク内のワイヤレス通信の方法であって，前記TDDキャリアが，各々がTDDサブフレーム構造を有する複数のサブフレームを含」むことに相当する。
　したがって，本願発明と先願発明とは，以下の点で一致し，また相違している。
［一致点］
「スケジューリングエンティティが時分割複信(TDD)キャリアを利用して1つまたは複数の下位エンティティのセットと通信するための，ワイヤレス通信ネットワーク内のワイヤレス通信の方法であって，前記TDDキャリアが，各々がTDDサブフレーム構造を有する複数のサブフレームを含み，前記方法が，
　制御情報，データ情報，および前記データ情報に対応する確認応答情報が単一のサブフレーム内に含まれるシングルインターレース動作モードを提供するステップと，
　前記制御情報，前記データ情報，または前記データ情報に対応する前記確認応答情報のうちの少なくとも1つが，前記制御情報，前記データ情報，および前記データ情報に対応する前記確認応答情報のうちの他のものとは異なるサブフレーム内に含まれる，マルチインターレース動作モードを提供するステップと，
を含む，方法。」
［相違点１］
　本願発明は，「第1のサブフレームに関して1つまたは複数の下位エンティティの前記セット内の各下位エンティティに関するそれぞれのスケジューリングモードを決定するステップであって，前記それぞれのスケジューリングモードが，前記シングルインターレース動作モードまたは前記マルチインターレース動作モードを含む，決定するステップ」を備えているのに対して，先願発明は，当該ステップを特定していない点。
［相違点２］
　本願発明は，「前記シングルインターレース動作モードと前記マルチインターレース動作モードの両方を含むように下位エンティティの前記セットの各下位エンティティの前記それぞれのスケジューリングモードを前記第1のサブフレームの前記TDDサブフレーム構造内で多重化することによって，前記スケジューリングエンティティと1つまたは複数の下位エンティティの前記セットとの間の送信をスケジュールするステップ」を備えているのに対して，先願発明は，当該ステップを特定していない点。
第７　判断
（１）相違点１について
　先願発明は，「ユーザ装置ＵＥ１に対して，所定のサブフレームで送信されるユーザデータに対するＡＣＫ／ＮＡＣＫを，後ろのサブフレーム内の多用途領域で送信するように指示」し，及び「ユーザ装置ＵＥ２に対して，後のサブフレームで送信されるユーザデータに対するＡＣＫ／ＮＡＣＫを，後のサブフレームの多用途領域で送信するよう指示」しており，そのために，各ユーザ装置ＵＥに対する「制御信号」と「ユーザデータ」と前記ユーザデータに対するＡＣＫ／ＮＡＣＫとを単一の「所定のサブフレーム」に含めるか，あるいは，「制御信号」と「ユーザデータ」とを単一の「所定のサブフレーム」に含めるとともに，前記ユーザデータに対する「ＡＣＫ／ＮＡＣＫ」は「後のサブフレーム」に含めるか，を決定する必要があるから，実質的に「後のサブフレーム」に関して，ユーザ装置ＵＥ１とユーザ装置ＵＥ２とのために「スケジューリングモードが，前記シングルインターレース動作モードまたは前記マルチインターレース動作モードを含む，決定するステップ」を備えていることは明らかである。
　よって，上記相違点１は，実質的な相違点ではない。
（２）相違点２について
　先願発明の「基地局ｅＮＢ」は，「前記後のサブフレーム内のユーザ装置ＵＥ１及びユーザ装置ＵＥ２が送信するＡＣＫ／ＮＡＣＫは多重化される」ようにスケジュールしていることは明らかであるから，先願発明は，「ユーザ装置ＵＥ２」のシングルインターレース動作モードに対応する「ＡＣＫ／ＮＡＣＫ」と，「ユーザ装置ＵＥ１」のマルチインターレース動作モードに対応する「ＡＣＫ／ＮＡＣＫ」との，両方を含むように「後のサブフレーム」のTDDサブフレーム構造内で多重化することで，基地局ｅＮＢと複数のユーザ装置ＵＥとの間の送信をスケジュールするステップを実質的に備えているといえる。
　よって，上記相違点２には，実質的な相違点ではない。
　そして，本願発明の作用効果も，先願発明に基づいて当業者が予測し得る範囲のものであり，格別なものではない。
　したがって，本願発明は，先願明細書等に記載された発明である。
［請求人の主張について］
　請求人は，令和元年１０月１日に提出された上申書において，以下のとおり主張する。
（１）「引用文献１は，1つまたは複数の下位エンティティのセットと通信するために各々がTDDサブフレーム構造を有する複数のサブフレームを含むTDDキャリアを開示していないかと思います。」
（２）「引用文献１は，あるサブフレームの一部の領域において時分割ではなく周波数分割または符号分割を用いてＡＣＫ／ＮＡＣＫを多重化することができるようにスケジューリングすることは開示していますが，上述したような本願において主張の発明特定事項の各下位エンティティに関するそれぞれのスケジューリングモードを決定する構成は開示していないかと思います。」
　上記（１）について検討する。
　上記「先願発明との対比」（１）で述べたように，時分割複信（ＴＤＤ）は，同一のキャリアで，下りリンクの通信と上りリンクの通信とを時間毎に切り替えて通信を行うことが，当業者の技術常識であるところ，先願発明の「．．制御信号領域と，．．ユーザデータ領域と，．．多用途領域とを含む無線フレーム構造」は，通信を行うために同一のサブフレーム内において，下りリンクの通信と上りリンクの通信とを時間毎に切り替えるものであり，前記サブフレームは時分割複信を行うものであるから，ユーザ装置ＵＥと無線通信するために用いられる，複数の前記サブフレームを含むキャリアはＴＤＤキャリアであるといえる。
　よって，先願明細書等には，「1つまたは複数の下位エンティティのセットと通信するために各々がTDDサブフレーム構造を有する複数のサブフレームを含むTDDキャリア」が記載されているといえる。
　上記（２）について検討する。
　本願発明の「第1のサブフレームの前記TDDサブフレーム構造内で多重化する」ことは，多重化の手法として，周波数分割または符号分割を用いるものを包含するものであるから，先願発明の「後のサブフレーム」の「多用途領域」で，「ユーザ装置ＵＥ１」と「ユーザ装置ＵＥ２」との「ＡＣＫ／ＮＡＣＫ」を多重化することに相当する。
　そして，上記「（１）相違点１について」で述べたとおり，先願発明は，本願発明の「．．決定するステップ」に対応する構成を備えていることは明らかである。
　以上のとおりであるから，上記請求人の主張は採用できない。
第８　むすび
　以上のとおり，本願発明は，先願明細書等に記載された発明であるから，特許法第２９条の２の規定により，特許を受けることができない。
　したがって，本願は，他の請求項について検討するまでもなく，拒絶すべきものである。
　よって，結論のとおり審決する。